(57)【要約】【課題】  選曲作業を楽しむことが可能であると共に、所望の楽曲を容易に選曲することが可能な商品識別コード登録選曲システムを提供する。【解決手段】  任意の利用者により選曲対象とされた楽曲の楽曲ＩＤと、商品識別コード読取手段７１により読み取られた商品識別コードとを対応付けると共に、当該利用者の利用者ＩＤを付帯させて、利用者別商品識別コード対応楽曲管理データベース３５にて登録管理する利用者別商品識別コード対応楽曲登録手段５０と、任意のログイン利用者による選曲の際に商品識別コードが読み取られると、当該商品識別コード及び当該利用者の利用者ＩＤに対応付けられた楽曲ＩＤを、選曲対象曲データ４５ｂとして取得する選曲対象曲データ取得手段４７と、取得した楽曲ＩＤに対応した楽曲データを、選曲対象曲として選曲可能に提示する選曲対象曲データ提示手段２２ｄと、を備える。【選択図】  図１
2010085714.tif 000002
【特許請求の範囲】
【請求項１】
予め利用者別に商品識別コードと対応付けられた楽曲を、カラオケ演奏端末における選曲対象曲として提示可能な商品識別コード登録選曲システムであって、
ログイン利用者管理手段と、商品識別コード読取手段と、利用者別商品識別コード対応楽曲登録手段と、選曲対象曲データ取得手段と、選曲対象曲データ提示手段と、を備え、
前記ログイン利用者管理手段は、カラオケ演奏端末にログインしている利用者を、利用者ＩＤに基づき特定して管理し、
前記商品識別コード読取手段は、商品に付帯された商品識別コードを読み取り、
前記利用者別商品識別コード対応楽曲登録手段は、任意の利用者により選曲対象とされた楽曲の楽曲ＩＤと、前記読み取られた商品識別コードとを対応付けると共に、当該利用者の利用者ＩＤを付帯させて、利用者別商品識別コード対応楽曲管理データベースにて登録管理し、
前記選曲対象曲データ取得手段は、任意の前記ログイン利用者が選曲を行う際に、任意の前記商品に付帯された商品識別コードが読み取られると、前記利用者別商品識別コード対応楽曲管理データベースにおいて当該商品識別コード及び当該利用者の利用者ＩＤに対応付けて登録管理された楽曲ＩＤを、選曲対象曲データとして取得し、
前記選曲対象曲データ提示手段は、前記選曲対象曲データ取得手段により取得した楽曲ＩＤに対応した楽曲データを、選曲対象曲として選曲可能に提示する、
ことを特徴とする商品識別コード登録選曲システム。
【発明の詳細な説明】
【技術分野】
【０００１】
本発明は、予め利用者別に商品識別コードと対応付けられた楽曲を、カラオケ演奏端末における選曲対象曲として提示可能な商品識別コード登録選曲システムに関するものである。
【背景技術】
【０００２】
近年、ＰＯＳシステムの普及に伴い、飲料、菓子類、雑誌等の商品に対して光学的に読取可能な商品識別コードを付して、精算や商品管理に利用する技術が一般的となっている。ＰＯＳシステム以外にも、ゲーム分野において商品識別コードを利用したバーコードゲーム機に関する技術が開示されている（特許文献１参照）。特許文献１に記載されたバーコードゲーム機は、対戦者がそれぞれバーコードスキャナーを用いて缶等に印刷されていたバーコードを読み取らせ、予めバーコードに対応付けられた戦力基準に基づいて対戦を行って勝敗を決するようにしたものである。
【０００３】
また、バーコードを用いた技術として、選曲本の楽曲欄にバーコードを印刷し、これをスキャニングして選曲するようにしたカラオケ演奏装置に関する技術が開示されている（特許文献２参照）。特許文献２に記載された技術は、選曲本において番号や文字で記載された選曲用コードに加えてバーコードを印刷しておき、バーコードリーダによりバーコードを読み取ることにより、選曲を行うことができるようになっている。
【０００４】
【特許文献１】特開平６−２３８０３１号公報
【特許文献２】特開平９−１２７９６０号公報
【発明の開示】
【発明が解決しようとする課題】
【０００５】
しかし、上述した従来の技術では、楽曲のコードを入力する手間を省くことができるが、利用者が選曲本から所望の楽曲を探し出す手間は従来と何ら変わっていない。すなわち、所望の楽曲を探し出すためには、楽曲名、アーティスト名等に基づいて選曲本のページをめくらなければならず、選曲に手間を要するという問題は解決されていなかった。また、選曲作業はただ単に楽曲のコードを入力するという単純作業であり、この選曲作業に楽しさを見出すことはできなかった。
【０００６】
本発明は、上述した事情に鑑み提案されたもので、選曲作業を楽しむことが可能であると共に、所望の楽曲を容易に選曲することが可能な商品識別コード登録選曲システムを提供することを目的とする。
【課題を解決するための手段】
【０００７】
本発明の商品識別コード登録選曲システムは、上述した目的を達成するため、以下の特徴点を有している。すなわち、本発明の商品識別コード登録選曲システムは、予め利用者別に商品識別コードと対応付けられた楽曲を、カラオケ演奏端末における選曲対象曲として提示可能なシステムであって、ログイン利用者管理手段と、商品識別コード読取手段と、利用者別商品識別コード対応楽曲登録手段と、選曲対象曲データ取得手段と、選曲対象曲データ提示手段と、を備えたことを特徴とする。
【０００８】
ログイン利用者管理手段は、カラオケ演奏端末にログインしている利用者を、利用者ＩＤに基づき特定して管理するための手段である。商品識別コード読取手段は、商品に付帯された商品識別コードを読み取るための手段である。利用者別商品識別コード対応楽曲登録手段は、任意の利用者により選曲対象とされた楽曲の楽曲ＩＤと、商品識別コード読取手段により読み取られた商品識別コードとを対応付けると共に、当該利用者の利用者ＩＤを付帯させて、利用者別商品識別コード対応楽曲管理データベースにて登録管理するための手段である。選曲対象曲データ取得手段は、任意のログイン利用者が選曲を行う際に、任意の商品に付帯された商品識別コードが読み取られると、利用者別商品識別コード対応楽曲管理データベースにおいて当該商品識別コード及び当該利用者の利用者ＩＤに対応付けて登録管理された楽曲ＩＤを、選曲対象曲データとして取得するための手段である。選曲対象曲データ提示手段は、選曲対象曲データ取得手段により取得した楽曲ＩＤに対応した楽曲データを、選曲対象曲として選曲可能に提示するための手段である。
【０００９】
このような構成からなる商品識別コード登録選曲システムでは、任意の利用者が、選曲に使用する任意の商品を選択し、商品識別コード読取手段により、当該商品に付帯された商品識別コードを読み取る。そして、利用者別商品識別コード対応楽曲登録手段により、当該利用者が選曲対象として提示を希望する楽曲の楽曲ＩＤと、読み取った商品識別コードを対応付けると共に、当該利用者の利用者ＩＤを付帯させて、利用者別商品識別コード対応楽曲管理データベースにて登録管理する。
【００１０】
一方、カラオケ演奏端末において任意の利用者が選曲を行う際に、商品識別コード読取手段により、当該利用者が持参した商品に付帯された商品識別コードが読み取られると、選曲対象曲データ取得手段により、当該利用者の利用者ＩＤに基づき、利用者別商品識別コード対応楽曲管理データベースで登録管理された楽曲ＩＤを、選曲対象データとして取得する。そして、選曲対象曲データ提示手段により、取得した楽曲ＩＤに対応した楽曲データを選曲可能に提示する。具体的には、選曲対象曲データは、カラオケリモコン装置の入出力用表示部等に一覧表示される。
【００１１】
ここで、商品識別コードとは、１次元バーコード、２次元コード、商品を識別可能なコードであり、例えば、国コード、メーカコード、商品コード、チェックデジット等からなる１３桁、あるいは８桁のＪＡＮコード（Japanese Article Number）等のことである。また、商品識別コード読取手段は、一般的にはスキャナ等の光学読取手段を用いるが、商品識別コードを電気的に記憶したＩＣチップ等を用いた場合には、電気的なデータ読取装置を用いることができる。
【発明の効果】
【００１２】
本発明の商品識別コード登録選曲システムでは、予め、任意の商品を持参して、この商品に付帯された商品識別コードと、選曲対象曲として所望する楽曲の楽曲ＩＤとを、利用者の利用者ＩＤに関連付けて登録管理する。そして、任意の利用者がカラオケ演奏端末にログインして選曲を行う際に、商品識別コードが付帯された商品を持参して、その商品識別コードを読み取らせると、利用者ＩＤ及び商品識別コードに関連付けて登録管理された選曲対象曲が提示される。
【００１３】
このようなシステムとすることにより、商品識別コードを付帯した商品を持参して選曲を行う際に、選曲作業を楽しむことが可能となる。すなわち、選曲者以外の利用者は、選曲者が持参した商品と選択対象曲との対応関係を知らないため、選曲動作が行われて、商品と選曲対象曲との対応関係が明らかになるまで、どのような楽曲が提示されるのかについて期待感を抱かせることができる。また、商品と選曲対象曲との対応関係に意外性を持たせたり、絶妙なユーモアを交えたりすることもでき、選曲作業が楽しいものとなる。
さらに、所望の楽曲を探し出すために、楽曲名、アーティスト名等に基づいて選曲本のページをめくる等の面倒な選曲作業が必要でなくなり、所望の楽曲を容易に選曲することが可能となる。
【発明を実施するための最良の形態】
【００１４】
以下、図面を参照して、本発明の商品識別コード登録選曲システムの実施形態を説明する。
本発明の実施形態に係る商品識別コード登録選曲システムは、予め利用者別に商品識別コードと対応付けられた楽曲を、カラオケ演奏端末における選曲対象曲として提示可能なシステムであり、カラオケシステムの構成要素とされている。以下、本発明の実施形態に係る商品識別コード登録選曲システムを備えたカラオケシステムについて説明する。
【００１５】
＜カラオケシステムの概要＞
図１は通信ネットワークを用いてカラオケシステムを構成した場合の概略ブロック図、図２はカラオケ演奏端末のブロック図である。
本発明の実施形態に係る商品識別コード登録選曲システムを適用するカラオケシステムは、図１に示すように、通信ネットワーク１２を介して相互に接続されたホスト装置１３と複数のカラオケ演奏端末１１とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せず安価な通信網であるという点で、インターネットにより構成されるＶＰＮを利用することが好ましい。
【００１６】
＜ホスト装置＞
ホスト装置１３は、図１に示すように、制御手段３１、送受信手段３２、データ処理手段３３、顧客データベース３４、利用者別商品識別コード対応楽曲管理データベース３５を備えている。
【００１７】
＜送受信手段／制御手段＞
制御手段３１は、ホスト装置１３を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。送受信手段３２は、各カラオケ演奏端末１１との間でデータの送受信を行うための手段であり、通信ネットワーク１２における通信方式の整合性を保つための通信回路やソフトウェアにより構成される。
【００１８】
＜データ処理手段／顧客データベース＞
データ処理手段３３は、顧客データベース３４及び利用者別商品識別コード対応楽曲管理データベース３５にアクセスして、データの抽出、変更、追加を処理するためのプログラムからなる。顧客データベース３４は、利用者毎に利用者情報が登録されたデータベースである。この顧客データベース３４は、利用者毎に、利用者ＩＤ、氏名、セカンドネーム（例えば愛称）、住所、電話番号、生年月日、性別、職業等が関連付けて構成されている。
【００１９】
＜利用者別商品識別コード対応楽曲管理データベース＞
図３は、利用者別商品識別コード対応楽曲管理データベースの構成例を示す説明図である。また、図４は、商品識別コード対応楽曲登録画面の一例を示す模式図である。
利用者別商品識別コード対応楽曲管理データベース３５は、利用者別商品識別コード対応楽曲登録手段５０が登録管理するデータを格納したデータベースであり、図３に示すように、利用者ＩＤ毎に、商品識別コードと、選曲対象となる楽曲の楽曲ＩＤとを紐付けして構成される。この利用者別商品識別コード対応楽曲管理データベース３５を構築するには、図４に示すように、選曲対象曲を登録しようとする利用者がカラオケ演奏端末１１にログインし、カラオケリモコン装置２２の入出力表示部の表示画面において、選曲対象曲登録モードを指定する。そして、商品識別コード読取手段７１であるスキャナにより、持参した任意の商品に付帯された商品識別コードを読み取ると共に、選択対象曲として提示すべき楽曲を選択して指定すると、利用者ＩＤと読み取った商品コード、及び指定した楽曲の楽曲ＩＤに基づいて、利用者別商品識別コード対応楽曲登録手段５０の機能により、利用者別商品識別コード対応楽曲管理データベース３５が構築される。
【００２０】
なお、選択対象曲として提示すべき楽曲は、カラオケリモコン装置２２の選曲機能を用いて表示させた楽曲データに基づいて指定してもよいし、選曲本に印刷されたバーコードをスキャニングすることにより指定してもよい。また、利用者別商品識別コード対応楽曲管理データベース３５を独立して設けるのではなく、顧客データベース３４の構成要素として、利用者別商品識別コード対応楽曲管理データベース３５の内容を付加してもよい。
【００２１】
＜カラオケ演奏端末＞
本発明の実施形態に係るカラオケ演奏端末１１は、図２に示すように、カラオケ本体２１、カラオケリモコン装置２２、ミキシングアンプ２３、スピーカ２４、マイクロホン２５、ディスプレイ装置２６を備えている。カラオケ本体２１とディスプレイ装置２６とは、有線方式又は無線方式により接続されている。
【００２２】
＜カラオケリモコン装置＞
カラオケリモコン装置２２は、ユーザインタフェース機能を備えており、カラオケ本体２１のローカル送受信手段４８に対して有線方式又は無線方式によりデータの送受信を行うようになっており、データの送受信を行うための回路基板及びプログラムと、楽曲検索手段２２ａとして機能させるためのプログラムと、楽曲索引データベース２２ｂと、利用者ＩＤ取得手段２２ｃと、選曲対象曲データ提示手段２２ｄとして機能させるためのプログラムと、一時記憶領域であるフラッシュメモリ（図示せず）とを備えている。
【００２３】
＜楽曲検索手段／楽曲索引データベース＞
楽曲検索手段２２ａは、楽曲索引データベース２２ｂを参照して、楽曲を検索するためのプログラムからなる。楽曲索引データベース２２ｂは、カラオケ演奏端末１１で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。なお、楽曲索引データベース２２ｂの内容は、カラオケ演奏端末１１がホスト装置１３と通信を行う際に、適宜なタイミングで最新のものに更新される。
【００２４】
＜利用者ＩＤ取得手段＞
利用者ＩＤ取得手段２２ｃは、利用者がカラオケ演奏端末１１を利用する際に、利用者が所持するＩＤ媒体６１から利用者ＩＤを取得するための電子回路及びプログラムからなる。利用者ＩＤ取得手段２２ｃで取得した利用者ＩＤは、ＲＡＭ４５に一時的に記憶され、ログイン利用者管理手段５１で管理される。ＩＤ媒体６１は、例えば、非接触型のＩＣカード、携帯電話、携帯情報端末等からなり、利用者ＩＤを記憶して、利用者ＩＤ取得手段２２ｃとの間でデータの送受信を行うことができるようになっている。
【００２５】
＜選曲対象曲データ提示手段＞
選曲対象曲データ提示手段２２ｄは、選曲対象曲データ取得手段４７により取得した楽曲ＩＤに対応した楽曲データを、選曲対象曲として選曲可能に提示するためのプログラムからなる。具体的には、選曲対象曲データ提示手段２２ｄは、商品識別コードを用いた選曲が行われると、ＲＡＭ４５に一時的に記憶された選曲対象曲データ４５ｂを読み出し、カラオケリモコン装置２２の入出力表示部（図示せず）に一覧表示する。また、選曲対象曲データ４５ｂを音声情報として、カラオケリモコン装置２２に組み込まれたスピーカ（図示せず）等から発生するようにしてもよい。選曲対象曲データ取得手段４７については、後に詳述する。
【００２６】
＜カラオケ本体＞
カラオケ本体２１は、バス４１、ネットワーク送受信手段４２、中央制御手段４３、ＲＯＭ４４、ＲＡＭ４５、ＨＤＤ４６、選曲対象曲データ取得手段４７、ローカル送受信手段４８、予約管理手段４９、利用者別商品識別コード対応楽曲登録手段５０、ログイン利用者管理手段５１、音楽再生制御手段５２、映像再生制御手段５３を備えている。
【００２７】
＜中央制御手段＞
中央制御手段４３は、カラオケ本体２１を総合的に制御するための手段であり、例えばＣＰＵ及びその周辺機器により構成されており、ＣＰＵ等がＲＯＭ４４等に記憶されたアプリケーションプログラムに従って動作することにより、制御機能を発揮することができるようになっている。
【００２８】
＜ＲＯＭ／ＲＡＭ＞
ＲＯＭ４４は、カラオケ本体２１を構成する各機器を制御するためのアプリケーションプログラムデータや数値データを記憶するための機器で、例えば半導体メモリ等で構成される。また、ＲＡＭ４５は、アプリケーションプログラムや各種データを一時的に記憶する一時記憶領域として機能するもので、例えば半導体メモリ等で構成される。なお、物理的な半導体メモリによりＲＡＭ４５を構成するのではなく、ハードディスク記憶装置等を用いて仮想的なＲＡＭ４５を構成してもよい。本実施形態では、ＲＡＭ４５に、予約待ち行列４５ａ、選曲対象曲データ４５ｂが格納されている。選曲対象曲データ４５ｂは、選曲対象曲データ取得手段４７の機能により取得されるデータであり、ホスト装置１３とデータの送受信を行う際に、利用者別商品識別コード対応楽曲管理データベース３５から受信し、ＲＡＭ４５に一時的に格納される。
【００２９】
＜ＨＤＤ／楽曲データベース／映像データベース＞
ＨＤＤ４６には、楽曲データベース４６ａ及び映像データベース４６ｂが格納されている。なお、ＨＤＤ４６に替えて、あるいはＨＤＤ４６と共に、データを書き替え可能なＤＶＤ等の大容量記憶装置を用いてもよい。
【００３０】
楽曲データベース４６ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。映像データベース４６ｂは、演奏される楽曲に対応した背景映像を、当該楽曲の楽曲ＩＤに対応させた映像ファイルとして所定数格納したデータベースである。
【００３１】
＜ログイン利用者管理手段＞
ログイン利用者管理手段５１は、現に当該カラオケ演奏端末１１にログインしている利用者を、利用者ＩＤに基づき特定して管理するためのプログラムからなる。すなわち、ログイン利用者管理手段５１では、利用者ＩＤ取得手段２２ｃにより利用者ＩＤが取得された場合に、この利用者ＩＤに基づいてカラオケ演奏端末１１にログインしている利用者を特定して管理する。
【００３２】
＜利用者別商品識別コード対応楽曲登録手段＞
利用者別商品識別コード対応楽曲登録手段５０は、任意の利用者により選曲対象とされた楽曲の楽曲ＩＤと、当該利用者により選択された商品識別コードとを対応付けると共に、当該利用者の利用者ＩＤを付帯させて、利用者別商品識別コード対応楽曲管理データベース３５にて登録管理するためのプログラムからなる。利用者別商品識別コード対応楽曲登録手段５０における登録管理対象となるデータは、ホスト装置１３とデータの送受信を行う際に送信され、利用者別商品識別コード対応楽曲管理データベース３５に格納される。
【００３３】
＜選曲対象曲データ取得手段＞
選曲対象曲データ取得手段４７は、任意のログイン利用者が選曲を行う際に、任意の商品に付帯された商品識別コードが読み取られると、利用者別商品識別コード対応楽曲管理データベース３５において当該商品識別コード及び当該利用者の利用者ＩＤに対応付けて登録管理された楽曲ＩＤを、選曲対象曲データとして取得するためのプログラムからなる。
【００３４】
すなわち、カラオケ演奏端末１１では、選曲対象曲データ取得手段４７の機能により、通信ネットワーク１２を介してホスト装置１３の利用者別商品識別コード対応楽曲管理データベース３５から、商品識別コード及び当該利用者の利用者ＩＤに対応付けられた楽曲ＩＤを選曲対象曲データ４５ｂとして取得し、ＲＡＭ４５に一時的に記憶する。
【００３５】
＜音楽再生制御手段＞
音楽再生制御手段５２は、楽曲ＩＤに基づいて楽曲データベース４６ａから抽出された演奏データをデジタル再生すると共にアナログ変換してミキシングアンプ２３に出力するための電子回路である。ミキシングアンプ２３は、マイクロホン２５から入力された歌唱者の歌唱音声信号と、音楽再生制御手段５２から送出される演奏音声信号とをミキシングすると共に、アンプ機能により増幅してスピーカ２４より出力させるための装置である。なお、マイクロホン２５の数は１本に限られず、２本以上であってもよい。
【００３６】
＜映像再生制御手段／ディスプレイ装置＞
映像再生制御手段５３は、カラオケ演奏中に、映像データベース４６ｂから抽出した映像データ、及び楽曲データベース４６ａから抽出した楽曲データのうちの歌詞テロップデータ（歌詞文字データ）を当該楽曲の演奏データに同期させてディスプレイ装置２６に出力するための電子回路である。さらに、映像再生制御手段５３は、カラオケリモコン装置２２を介した利用者からの操作指示による予約楽曲リストの表示等をディスプレイ装置２６に表示させる機能も有している。
【００３７】
ディスプレイ装置２６は、カラオケ演奏時の映像、歌詞テロップ等を表示するための装置で、例えば、ＣＲＴディスプレイ、液晶ディスプレイ、プラズマディスプレイ等により構成される。
【００３８】
＜予約管理手段＞
予約管理手段４９は、利用者によりカラオケリモコン装置２２における楽曲検索手段２２ａの機能を用いて選曲され、ローカル送受信手段４８を介して送信された当該選曲者の利用者情報（例えば利用者ＩＤ）及び選曲された楽曲ＩＤを対応付けて予約待ち行列４５ａとしてＲＡＭ４５に格納し、管理するためのプログラムである。なお、楽曲選択の表示や予約待ち行列４５ａの表示は、カラオケリモコン装置２２の入出力用表示部及びディスプレイ装置２６のいずれか一方、あるいは双方で行うことができる。
【００３９】
＜送受信手段＞
ローカル送受信手段４８は、カラオケリモコン装置２２との間でデータの送受信を行うための電子回路及びプログラムからなる。ネットワーク送受信手段４２は、通信ネットワーク１２を介してホスト装置１３との間でデータの送受信を行う際に、通信ネットワーク１２における通信方式の整合性を保つための電子回路及びプログラムからなる。
【００４０】
＜選曲対象曲の提示＞
次に、商品識別コードを用いた選曲対象曲の提示について説明する。図５は、商品識別コードを用いた選曲対象曲の提示画面を示す模式図、図６は、選曲画面の模式図である。
【００４１】
商品識別コードを用いて選曲対象曲の提示を行うには、図５に示すように、選曲対象曲の提示を受けようとする利用者がカラオケ演奏端末１１にログインし、カラオケリモコン装置２２の入出力表示部の表示画面において、選曲対象曲提示モードを指定する。そして、商品識別コード読取手段７１であるスキャナにより、持参した任意の商品に付帯された商品識別コードを読み取ると、選曲対象曲データ取得手段４７により、選曲者となる利用者の利用者ＩＤ及び読み取った商品識別コードに基づいて、利用者別商品識別コード対応楽曲管理データベース３５から選曲対象データを取得して、ＲＡＭ４５に一時的に記憶する。なお、選曲対象データは、利用者のログイン時に事前に利用者別商品識別コード対応楽曲管理データベース３５から取得してＲＡＭ４５に一時的に記憶しておいてもよい。続いて、選曲対象曲データ提示手段２２ｄは、ＲＡＭ４５に一時的に記憶された選曲対象曲データ４５ｂを、カラオケリモコン装置２２の入出力表示部に一覧表示する。
【００４２】
選曲者となる利用者が、カラオケリモコン装置２２の入出力表示部に一覧表示された楽曲の中から所望の楽曲を指定すると、図６に示す選曲画面に移行して、演奏キーの設定等が行われる。このようにして、選曲された楽曲が当該利用者の選曲データとして予約待ち行列４５ａに登録される。
【００４３】
＜他の実施形態＞
本発明の商品識別コード登録選曲システム及びその周辺装置を構成する機器や手段は上述したものに限定されず、カラオケシステムの利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００４４】
さらに、顧客データベース３４及び利用者別商品識別コード対応楽曲管理データベース３５をホスト装置１３の構成要素とするのではなく、カラオケ演奏端末１１の構成要素として、ローカルで顧客情報の管理及び選曲履歴の管理を行ってもよい。
【図面の簡単な説明】
【００４５】
【図１】本発明の実施形態に係る商品識別コード登録選曲システムを適用するカラオケシステムの概略ブロック図。
【図２】本発明の実施形態に係る商品識別コード登録選曲システムを適用するカラオケ演奏端末のブロック図。
【図３】利用者別商品識別コード対応楽曲管理データベースの構成例を示す説明図。
【図４】商品識別コード対応楽曲登録画面の一例を示す模式図。
【図５】商品識別コードを用いた選曲対象曲の提示画面を示す模式図。
【図６】選曲指定画面の一例を示す模式図。
【符号の説明】
【００４６】
１１  カラオケ演奏端末
１２  通信ネットワーク
１３  ホスト装置
２１  カラオケ本体
２２  カラオケリモコン装置
２２ａ  楽曲検索手段
２２ｂ  楽曲索引データベース
２２ｃ  利用者ＩＤ取得手段
２２ｄ  選曲対象曲データ提示手段
２３  ミキシングアンプ
２４  スピーカ
２５  マイクロホン
２６  ディスプレイ装置
３１  制御手段
３２  送受信手段
３３  データ処理手段
３４  顧客データベース
３５  利用者別商品識別コード対応楽曲管理データベース
４１  バス
４２  ネットワーク送受信手段
４３  中央制御手段
４４  ＲＯＭ
４５  ＲＡＭ
４５ａ  予約待ち行列
４５ｂ  選曲対象曲データ
４６  ＨＤＤ
４６ａ  楽曲データベース
４６ｂ  映像データベース
４７  選曲対象曲データ取得手段
４８  ローカル送受信手段
４９  予約管理手段
５０  利用者別商品識別コード対応楽曲登録手段
５１  ログイン利用者管理手段
５２  音楽再生制御手段
５３  映像再生制御手段
６１  ＩＤ媒体
７１  商品識別コード読取手段
【図１】
2010085714.tif 000003
【図２】
2010085714.tif 000004
【図３】
2010085714.tif 000005
【図４】
2010085714.tif 000006
【図５】
2010085714.tif 000007
【図６】
2010085714.tif 000008